(57)【要約】      （修正有）【課題】ハサミをぶれないように使用することが可能であると共に指の太さに応じてハンドル輪の大きさが変更で、かつ小さなハサミを作ることができるハサミの取手構造を提供する。【解決手段】ハサミの一つのハンドル３に人差し指を入れるための筒４を、もう一方のハンドル６に親指と中指で摘むための回転板７を設けると共に、人差し指を入れる筒４をマジックバンドにすることで、指の太さに合わせて大きさを変えることができるようにする。また、使用しない時にはマジックバンドを折りたたむことで、ハサミを小型化できる。【選択図】図１
2012143272.tif 000002
【特許請求の範囲】
【請求項１】
ハサミのハンドルに人差し指を入れる筒と、親指と人差し指によって摘む、取っ手を取り付けることを特徴とする装置。
【請求項２】
請求項１記載の指を入れる筒を、マジックバンドにすることを特徴とする装置。
【請求項３】
請求項１の親指と人差し指で摘む取っ手に回転する盤を取り付けることを特徴とする装置。
【発明の詳細な説明】
【技術分野】
【０００１】
本発明は、ハサミのハンドルに人差し指を入れる筒と親指と中指で摘むための取っ手を取り付けたものである。
【背景技術】
【０００２】
従来ハサミの使用はハサミの刃に対し、直角方向からハンドルに指をいれ、手を握る動作でハサミを使用していた。
または、親指と人差し指を入れる金具のリンクをそれぞれのハンドルハンドルに取り付け、摘むような動作で使用していた。
【先行技術文献】
【特許文献】
【０００３】
特開平１０−１２７６５１公開特許公報
【非特許文献】
【０００４】
実用新案登録第３１１０５２０
実用新案登録第３１０６２３３
【発明の概要】
【発明が解決しようとする課題】
【０００５】
解決しようとする問題点は、ハンドルに対し輪を平行方向に金具のリングを二つ以上取り付けるハサミだと、ハサミをぶれないように使用するための構造が複雑になる点にある。
【０００６】
また、右手用と左手用のハサミの違いがあった。
【０００７】
また、二つ以上の輪に指を入れて使用するため、使用動作がおそくなる。
【０００８】
また、指を入れるリングは指の太さ以上の太さが必要で、小さいハサミは使用しずらいし、指を入れるリングより小さなハサミができない。
【課題を解決するための手段】
【０００９】
上記課題を解決するために、請求項１記載の本発明は、ハサミのハンドルに対し水平方向に人差し指を入れる筒を取り付け、反対側側のハンドルに親指と中指でつまんで使用出来る取っ手をとりつけた。
【００１０】
また、請求項２記載の、人差し指を入れるマジックバンドをハンドルに対し平行方向の筒になるように取り付けた。
【００１１】
また、請求項３記載の親指と中指で摘む取っ手に回転する盤を取り付ける。
【発明の効果】
【００１２】
マジックバンドで人差し指の太さに筒の大きさを合わせることができる。
【００１３】
大きさを固定したリングがないため、使用しないときはマジックバンドを折りたたむことができるため、小さなハサミをつくることができる。
【００１４】
本発明のハサミは、人差し指、親指、中指の3つの指でぶれないように固定でき、親指と中指で摘むハンドルは指を入れる輪が必要ないため、構造が単純にできる。
【００１５】
左右どちらの手でも使用できる。
【図面の簡単な説明】
【００１６】
【図１】図１はハサミの実施方法を示した説明図である
【図２】図２は人差し指を入れる筒のマジックバンドの取り付け方法を示した説明図である。
【図３】図３はハンドルに親指と中指で摘む回転盤の取り付け方法を示した説明図である。
【発明を実施するための形態】
【００１７】
ハサミのハンドル３に人差し指８を入れる筒形となるようマジックバンド４をハンドル３に対し平行方向に取り付け、もう一方のハンドルに親指９と中指１０で握る取っ手６と取っ手に回転盤７を取り付ける。
【実施例１】
【００１８】
図１は、本発明の実施例１の実施形態を示す図である。
以下、図１を参照して本発明の実施形態の動作を説明する。
１図は、ハンドル３に取り付けられたマジックバンドの4aと４ｂを重ね、指を入れる筒状にし、筒４に右手の人差し指８を入れ、反対側のハンドル１１の取っ手６を親指と中指で摘み、ハサミの刃１を開いた状態の形態図である。
１図の状態から、人差し指８をつまむように閉じると、ハサミの刃１が閉じる。
【実施例２】
【００１９】
図２と図３はハンドル３にマジックバンド４aと４ｂを取り付け、人差し指３を入れるマジックバンドの筒の説明図である。
以下、２図と3図を参照して本発明の実施形態を説明する。
図１の人差し指側のハンドル３にリベット５やネジなどでマジックバンド４aと４ｂをとりつけ、マジックバンド4aと４ｂを重ねて、人差し指３が入る筒状にし、 指の動きに従いハンドル３とマジックバンドの筒４の角度が変わるようにした。
【実施例３】
【００２０】
図４は親指９と中指１０で摘む取っ手６と回転板７の取り付け方法を示した説明図である。
以下、図４を参照して本発明の実施形態を説明する。
図１のハンドル１１に親指９と中指１０で摘む取っ手６に回転する盤７を取り付け、使用事に変わる取っ手６と摘む指の角度がスムーズに変えられようにした。
【符号の説明】
【００２１】
1   ハサミの刃
２  ハサミの要
３  人差し指を入れるマジックバンドを取り付けるハンドル
４  人差し指を入れるマジックバンド（４a・4b）
５  リベット
６  親と中指で摘む取っ手
７  取っ手に取り付ける親指と中指で摘む回転盤
８  人差し指
９  親指
１０  中指
１１  親指側ハンドル
【図１】
2012143272.tif 000003
【図２】
2012143272.tif 000004
【図３】
2012143272.tif 000005
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
片方のハサミのハンドルに、人差し指を入れハンドルとの角度を変えることが出来る筒を取り付け、もう一方のハンドルに親指と中指によって摘む取っ手を取り付けることを特徴とする装置。
【請求項２】
請求項１記載の指を入れる筒を、マジックバンドにすることを特徴とする装置。
【手続補正書】
【提出日】平成23年3月24日(2011.3.24)
【手続補正１】
【補正対象書類名】明細書
【補正対象項目名】全文
【補正方法】変更
【補正の内容】
【発明の詳細な説明】
【技術分野】
【０００１】
本発明は、ハサミのハンドルに人差し指を入れる筒と親指と中指で摘むための取っ手を取り付けたものである。
【背景技術】
【０００２】
従来ハサミの使用はハサミの刃に対し、直角方向からリングに親指と他の指をいれ、手を握るような動作でハサミを使用していた。
【先行技術文献】
【特許文献】
【０００３】
特開平１０−１２７６５１公開特許公報
【非特許文献】
【０００４】
実用新案登録第３１１０５２０
実用新案登録第３１０６２３３
【発明の概要】
【発明が解決しようとする課題】
【０００５】
従来のハサミは作動部の対角にある両方の刃が閉じるように動くので、目的の直線に沿っての目標が定まりにくかった。
【０００６】
また、指を入れるリングは指の太さ以上の太さが必要で、小さいハサミは使用しずらく、指を入れるリングより小さなハサミができなかった
【０００７】
また、右手用と左手用のハサミの違いがあった。
【課題を解決するための手段】
【０００８】
上記課題を解決するために、請求項１記載の本発明は、ハサミのハンドルに対し水平方向に、使用時指の動きによってハンドルとの角度が変わるよう、人差し指を入れる筒をリベットなどでハンドルに取り付け、反対側のハンドルに親指と中指でつまんで使用出来る取っ手をとりつけた。
【０００９】
また、請求項２記載の、マジックバンドをハンドルに対し平行方向の筒になるように取り付けた。
【発明の効果】
【００１０】
本発明のハサミは、親指と中指で一方のハンドルを固定して持つことにより、延長上の作動部の刃が固定されるので、固定された刃部に切断部の直線を密着して合わせ、人差し指を閉じると人差し指の延長上の刃だけが閉じるように動き、親指の延長上の刃にそって真っ直ぐに切断することができる。
【００１１】
マジックバンドで人差し指の太さに筒の大きさを合わせることができる。
【００１２】
大きさを固定したリングがないため、使用しないときはマジックバンドを折りたたむことができ、小さなハサミをつくることができる。
【００１３】
左右どちらの手でも使用できる。
【図面の簡単な説明】
【００１４】
【図１】図１はハサミの実施方法を示した説明図である
【図２】図２は人差し指を入れる筒のマジックバンドの取り付け方法を示した説明図である。
【図３】図３はハンドルに親指と中指で摘む取っ手の取り付け方法を示した説明図である。
【発明を実施するための形態】
【００１５】
ハサミのハンドル３に人差し指８を入れる筒形となるようマジックバンド４をハンドル３に対し指の動きによってハンドルとの角度が変わるように取り付け、もう一方のハンドルに親指９と中指１０で摘む取っ手６を取り付ける。
【実施例１】
【００１６】
図１は、本発明の実施例１の実施形態を示す図である。
以下、図１を参照して本発明の実施形態の動作を説明する。
１図は、ハンドル３に取り付けられたマジックバンドの4aと４ｂを重ね、指を入れる筒状にし、筒４に右手の人差し指８を入れ、反対側のハンドル１１の取っ手６を親指と中指で摘み、ハサミの刃１を開いた状態の形態図である。
１図の状態から、人差し指８をつまむように閉じると、ハサミの刃１が閉じる。
【実施例２】
【００１７】
図２はハンドル３にマジックバンド４aと４ｂを取り付け、人差し指３を入れるマジックバンドの筒の説明図である。
以下、２図を参照して本発明の実施形態を説明する。
図１の人差し指側のハンドル３にリベット５やネジなどでマジックバンド４aと４ｂをとりつけ、マジックバンド4aと４ｂを重ねて、人差し指３が入る筒状にし、 指の動きに従いハンドル３とマジックバンドの筒４の角度が変わるようにした。
【実施例３】
【００１８】
図３は親指９と中指１０で摘む取っ手６の取り付け方法を示した説明図である。
以下、図３を参照して本発明の実施形態を説明する。
ハンドル１１に親指９と中指１０で摘み、薬指を薬指受け７に置ける取っ手６を取り付け、ハンドル１１を固定する。
そのまま、人差し指８を閉じるとハサミの刃１が閉じる。
【符号の説明】
【００１９】
1   ハサミの刃
２  ハサミの要
３  人差し指を入れるマジックバンドを取り付けるハンドル
４  人差し指を入れるマジックバンド（４a・4b）
５  リベット
６  親指と中指で摘む取っ手
７  薬指受け
８  人差し指
９  親指
１０  中指
１１  親指側ハンドル
【手続補正書】
【提出日】平成23年3月24日(2011.3.24)
【手続補正１】
【補正対象書類名】図面
【補正対象項目名】全図
【補正方法】変更
【補正の内容】
【図１】
2012143272.tif 000006
【図２】
2012143272.tif 000007
【図３】
2012143272.tif 000008